(57)【要約】【課題】    省資源でエコロジーでありながら複数月連続表示で使い勝手の良いカレンダーを提供する。  【解決手段】  ３枚の矩形用紙の各々の中央に矩形２分割面をなすよう折れ線を設けて出来る２分割面を１面として出来る表裏４面に、折れ線を上部として、１枚目の用紙には１月、４月、７月、１０月の７曜表を印刷表示し、２枚目は２月、５月、８月、１１月の７曜表を印刷表示し、３枚目は３月、６月、９月、１２月の７曜表を印刷表示する。手前上段に折って今月を表示し、次の用紙の下段に伸ばしたまま来月を表示することで時の経過と表示のつながりが自然に表せる連続月表示のカレンダー。事前に記入した予定を転記すること無く必要時に確認出来る連続月表示のカレンダー。【選択図】  図２
2010173122.tif 000002
【特許請求の範囲】
【請求項１】
３枚の矩形用紙の各々の中央に矩形２分割面をなすよう折れ線を設けて出来る２分割面を１面として出来る表裏４面に、折れ線を上部として、１枚目の用紙には１月、４月、７月、１０月の７曜表を印刷表示し、２枚目は２月、５月、８月、１１月の７曜表を印刷表示し、３枚目は３月、６月、９月、１２月の７曜表を印刷表示し、手前上段に用紙を折って今月を表示し、次の用紙は下段に伸ばしたまま来月を表示する、連続月表示のカレンダー。
【発明の詳細な説明】
【技術分野】
【０００１】
本発明はカレンダーに係わり、特に複数月を同時に表示して当月及び来月の予定の記入や確認に便利なカレンダーに係わる。
【背景技術】
【０００２】
近年、絵柄が少なく今後の予定を書き込むことが出来るＢ３、Ａ３程度のサイズで１ヶ月分表示の七曜表が主体のカレンダーがスケジュールの書き込みや調べることが出来て実用用途に使われている。
しかしながら１ヶ月分の表示では特に下旬において来月の予定がその都度捲らなくては見ることが出来ないために対策として２枚を同時に見えるよう１ヶ月分のページを切り離して上または左へ並べることや２セットのカレンダーを無駄ながら並べて使うことがある。１枚の紙面に２ヶ月を表示しミシン目を入れて１ヶ月分の７曜表を取り去ることで常に２ヶ月表示するカレンダーがあるが半分の月は順番が逆転して違和感を覚える。２ヶ月以上を同時に表示しながら時の経過と表示のつながりが自然に表せるものが求められる。
【０００３】
今月の７曜表を上段に表示し、来月の７曜表を下段に表示して違和感無く表示出来るカレンダーとして特開２００５−１４４８８０号がある。また、２つ折部を上側にして各半折部に１ヶ月分の７曜表を表示する例として特開２００２−１１３９７５号がある。さらに、用紙の表裏両面に月ごとの７曜表を表示するものとして実開昭６１−８１９７５号がある。
【０００４】
【特許文献１】特開２００５−１４４８８０号
【特許文献２】特開２００２−１１３９７５号
【特許文献３】実開昭６１−８１９７５号
【発明の概要】
【発明が解決しようとする課題】
【０００５】
前記特許文献1は２ヶ月以上を同時に表示するために後続の連続した月単位の７曜表が下方に連続して印刷されているものであるが年初の1月を上段に表示する際は紙の剛性が弱く上端部が前方に撓む虞と印刷が片面印刷に限定されるので１２ヶ月分の用紙面積を必要としている。
【０００６】
また、前記特許文献２は２つ折部を上側にして各半折部に１ヶ月分の７曜表を表示する例であるが使用時は片面表示の１ヶ月表示に限定されると共に用紙を折り曲げて得られる剛性の向上効果が有効利用されていない。
【０００７】
さらに、前記特許文献３は長尺シートの表裏両面に偶数・奇数に分けて月ごとの７曜表を表示するもので長尺シートの両面利用で資材節減がされているがロール状長尺シートの保持手段や台紙に複雑な加工が必要でしかも壁面への懸架は困難である。
【０００８】
近年のエコロジー思想を反映して必要最小限の材料を用いながらも連続的な表示が出来て事前に記入した予定を転記すること無く必要時に確認出来る壁面懸架のカレンダーが実現出来れば事務所や家庭で便利である。
省資源性から表裏２面印刷でも対応出来ることやそれがそのまま記録として保存できることが望まれる。
【課題を解決するための手段】
【０００９】
月毎の７曜表を一旦バラバラに分解して配置や配列の工夫をする。１枚の用紙を２つに分けて折ったままを当月分用として上段表示し、他の１枚の用紙は折らずに広げたままにして下段に来月分表示すれば懸架して２ヶ月連続表示できると共に２枚目の用紙の上段は隠れて見えないので裁量の余地が生じる。ここで１枚の用紙を２つに分けたそれぞれの面の折れ線を上部として７曜表を表示するが同一の用紙に表示する月を連続するもので無いようにして１枚の用紙の片面に２ヶ月故表裏両面で４ヶ月表示すると１年は１２ヶ月であり３枚の用紙で１年分の１２ヶ月を表示出来る。これにより片面印刷では６か月分の用紙使用量で１２ヶ月分を表示出来る。使用時は１枚目と２枚目は表示用とすると共に３枚目は控えとして３枚まとめて懸架すればよい。
【００１０】
ここで、枚数に亘って規則的に順番を追って表示することとして１枚目の用紙は１月、４月、７月、１０月を表示し、２枚目の用紙は２月、５月、８月、１１月を表示し、３枚目の用紙は３月、６月、９月、１２月を表示すると整然となる。更に表裏の差を６ヶ月にして配置させると整理しやすい。
このカレンダーの欠点として今月と来月以外は探している月が何処にあるか判らない事で対策として各７曜表の余白の例えば右下部にその用紙に表示されている月名を１月４月７月１０月や２月５月８月１１月や３月６月９月１２月といった具合に表示しておくと来月よりも先の予定を記入する際にどの用紙が該当するか検索できる。
【００１１】
面積に応じてその厚さと材質の選択で必要な剛性を得ることが必要であるが一般的に紙は一旦ある方向に折り曲げるとその折れ線の曲げに対する剛性が向上して撓みにくくなるので最も表面側になるカレンダー表示面は折り曲げてその折り目近傍の幅中心位置に懸架用の穿孔穴を設けて懸架してその後ろ側に後続するカレンダーは広げたままその板端部に設けた懸架用の穿孔穴により共通の同じ釘により懸架する。又は折り曲げ内部に後続のカレンダーは折り曲げずに折れ線部を平らかにして差し込んでその板端部に設けた懸架用の穿孔穴を用いて重ねて懸架すると背面の用紙は表面の用紙によって撓みを規制されるので前後に撓まず平らかに懸架表示できる。
【００１２】
ここで製品の形態は搬送の利便性を配慮して折り曲げて包装されているものとする。手前上段用に１枚目の用紙は折り曲げたままで１月面が表になるよう準備し、２枚目の用紙は曲げ癖を取って真直ぐに広げて２月面が下側で表面になるよう準備し、３枚目の用紙も同様に３月面が下側で表面になるよう準備し、３枚の上端を揃えて壁面の釘に懸架すると、１月が上段で２月が下段に表示され、更に２月の裏には３月が控えているので再来月の予定の書き込みも可能で時の経過と表示のつながりが自然に表せる。２月以降の月々での表示も同様であるが１２月は来年用に同様のものを調達して連続表示することが最適である。商品としては薄くてもよいから同じサイズの用紙で上段には取り扱い説明を表示し、下段に来年１月を表示したものを用意しておくと親切である。
【図面の簡単な説明】
【００１３】
【図１】本発明の連続月表示のカレンダー
【図２】本発明の連続月表示のカレンダーの分解図
【図３】本発明の変形例１（Ａ）１面表示、（Ｂ）２面表示、（Ｃ）３面表示
【図４】本発明の変形例２
【図５】本発明の変形例３
【発明を実施するための形態】
【実施例】
【００１４】
本発明の実施例を図面を用いて説明する。
図１は本発明の連続月表示のカレンダー１を示したものである。（Ａ）では最前には折り曲げて１月面が上段で表示するよう用紙２が折れ線３近傍の幅中心位置に穿孔穴４を用いて壁面の釘５によって懸架され、その後ろに２枚目の用紙２が広げたまま釘５に端部の穿孔穴４を用いて２月面が下段で表示するよう懸架され、壁面１２に接して３枚目が懸架されている状態を示している。
図から判る様に３枚が整列して重なって吊り下げられており１月が上段で２月が下段に表示されて時の経過と表示のつながりが自然に現せる。配置の工夫により３枚目の用紙２の下側に３月の７曜表を表示させると２月面の裏に３月面が控えていて再来月の予定の書き込みや確認が出来る。
各７曜表の右下部余白にはその用紙に表示されている月名を１月４月７月１０月や２月５月８月１１月や３月６月９月１２月といった具合に表示していてどの用紙に何月が表示されているか検索できるので来月よりも先の予定を容易に記入出来る。
【００１５】
適正な剛性の素材の選択を行えば最前の用紙２の上部にある折れ線３はすでに曲げられ剛性が確保できているので平らかであり、２、３枚目の用紙２は事前に折れ線３の曲げ癖を取り除いておくと背面の壁面１２での拘束効果と相俟って前後方向へ撓むことなく真直ぐ懸架される。表示しているように各月の番号数字を７曜表の上に薄く重ね合わせて表示すると表示面積の有効化がはかれる。
【００１６】
図１（Ｂ）は上端を一直線に揃えたい場合で最前の用紙２の折れ線３の山形折れ内部に２番目、３番目の用紙２を挟み込んで懸架する。この際は山形折れ内に２枚の用紙２を挟んでも膨らまないよう配慮する。例えば折れ線３は両方向共に折り曲げ可能な複線にすると共に各々の穿孔穴４は重ねた状態で貫通する通し穴にして釘５が容易に通せるように位置決めをする。用紙２の本体部分は硬く厚いままとして折れ線部に可撓性の大きい材質の薄厚素材を用いて本体部と接着しても良い。
【００１７】
図２は本発明の連続月表示のカレンダー１の分解図であり、図１（Ａ）の状態を詳しく示している。
１から１２の英数字は各月の７曜表を意味していて実線の数字は表面に表示されていること、点線の数字は裏面に表示されていること、数字の上下の向きはその数字の向きに表示されていることを示している。１枚目の用紙２の表面には１月と４月が折れ線３を上部として向き合って表示され、同様にその裏面に７月と１０月の７曜表が折れ線３を上部として向き合って表示されている。２枚目は同様に２月、５月、８月、１１月を表示し、３枚目は３月、６月、９月、１２月を表示している。図１（Ｂ）においても７曜表の配置は同じである。
【００１８】
１枚の用紙には連続した月の７曜表が表示されないようにすれば表示の組み合わせと配列は任意であるが図２に示すように３枚にわたって順番に配列し、更に表裏の差を６ヶ月にして整然と配置させると整理しやすい。
このように配置にすると年度末の用済み後に折れ線３を切断線にして分離し表面を１月、２月、３月、４月、５月、６月の順序に揃えると裏面は７月、８月、９月、１０月、１１月、１２月の順番になり記録として保存する際の利便性が高まる。
【００１９】
図３は本発明の変形例１を示したもので折れ線長さとほぼ同じ長さの繰り返し使用可能なＵ字レール６を差し込むことで変形を拘束して用紙２が薄く剛性が不足しても上部の撓みを防止することが出来る。
【００２０】
図３は（Ａ）に１面表示の場合、（Ｂ）に２面表示で本案通りの場合、（Ｃ）に３面表示の場合でいずれもＵ字レール６を用いるが用紙２の落下防止はその穿孔穴４と壁面１２に設けられた釘５によっている場合を示している。（Ａ）の１面表示の場合は使用者が２面表示を行わない場合や１２月の場合を示している。（Ｃ）の３面表示の場合は２枚目の用紙２の中段の穿孔穴４と３枚目の用紙の上段の穿孔穴４を用いて着脱式両頭ファスナー７などにより連結して３枚目を下側に半ピッチ（１月表示面分）ずらして懸架した例で連続した３ヶ月を同時に表示できる。
【００２１】
図４は本発明の変形例２を示したものでＵ字レールの代わりに横方向に並んだ複数のフック９を備えたハンガー８によって薄い用紙２を用いても紙面全面を表示しながら撓みを防止して吊り下げる場合を示している。ハンガー８は樹脂または金属製でその中央に懸架穴１１を備えてその懸架穴１１と壁面１２の釘５により懸架される。用紙２には上下端部及び折れ線４近傍に合計４列横方向に並んで穿孔穴４が施されている。この場合は穿孔穴４の横方向の配置は必ずしも中心にある必要は無く用紙２が撓まないよう必要数配置してあれば良いので汎用的な書類ファイルの穴ピッチに一致させておくと使用後に記録としての保管に便利である。
【００２２】
図５は本発明の変形例３を示したものでＵ字レールの代わりにハンガーレール１０を用いてその溝部の弾性復元力と摩擦によって用紙２の落下を防止する場合を示している。ハンガーレール１０は左右対称の樹脂または金属で出来ていてその中央の懸架穴１１と壁面の釘５により懸架される。この場合は用紙への穿孔穴加工は不要になる。
変形例１、２、３に共通して用紙２は薄厚素材の採用が可能で丸めてＵ字レール６やハンガー８やハンガーレール１０と共に円筒状に包装してコンパクトに運ぶことが出来る。
本案の剛性の高い用紙２のみで構成されて釘５への着脱が簡単な方法と代案の薄い用紙２とＵ字レール６やハンガー８やハンガーレール１０とを組み合わせる変形例１、２、３の選択は取扱性、コスト、エコロジー性、デザイン性などを考慮して行われる。
【産業上の利用可能性】
【００２３】
半折部分に１ヶ月分を表示する例を示したがそれぞれを２か月分にして同様のシステムにすると４か月分を同時に表示できて１年分は２枚でシステムが構成できるが片面印刷用紙が発生するのでその片面の半分に来年の１、２月を表示し残り半分は取り扱い説明をするとよい。又は３枚で２年分のシステムにする方法もある。
省資源性が劣るが片面印刷も可能でこの際は１月−７月、２月−８月、３月−９月、４月−１０月、５月−１１月、６月−１２月の組み合わせで印刷すると下段の２月の裏側に３月、４月、５月、６月の順序で懸架できる。
デスクトップでの使用時は適宜カレンダースタンドを用意し手前の用紙を折って出来る山形折れ内に２枚目の用紙を差し込めばよい。
用紙の形状は矩形を基本とするが台形、ひし形など重心が左右に振れない形状であれば任意でよくファッション性の向上が期待できる。
【符号の説明】
【００２４】
１  連続月表示のカレンダー
２  用紙
３  折れ線
４  穿孔穴
５  釘
６  Ｕ字レール
７  ファスナー
８  ハンガー
９  フック
１０  ハンガーレール
１１  懸架穴
１２  壁面
【図１】
2010173122.tif 000003
【図２】
2010173122.tif 000004
【図３】
2010173122.tif 000005
【図４】
2010173122.tif 000006
【図５】
2010173122.tif 000007